(57)【特許請求の範囲】
【請求項１】
外耳道に挿入されるプローブと、
該プローブ全体を覆うように装着されるプローブカバーと、
該プローブカバーの着脱動作に応じて、該プローブカバーの前記プローブに対する着脱方向への移動に伴って、該着脱方向とは略垂直方向に移動する可動部と、
該可動部の移動により、前記プローブカバーの装着の有無を検出する検出手段と、を備える赤外線体温計であって、
前記可動部に、前記プローブカバーの装着動作によって、該プローブカバーの内壁面により押圧されてプローブの内部側に分力を発生させる傾斜面を設けると共に、
該可動部をプローブの外部側に付勢する付勢手段を設けることにより、
前記プローブカバーを装着する場合には、前記付勢手段の付勢力に抗して、前記傾斜面により発生する分力によって前記可動部をプローブの内部側に移動させ、
前記プローブカバーを取り外す場合には、前記付勢手段の付勢力により、前記可動部をプローブの外部側に移動させることを特徴とする赤外線体温計。
【請求項２】
外耳道に挿入されるプローブと、
該プローブ全体を覆うように装着されるプローブカバーと、
該プローブカバーの着脱動作に応じて、該プローブカバーの前記プローブに対する着脱方向への移動に伴って、該着脱方向とは略垂直方向に移動する可動部と、
該可動部の移動により、前記プローブカバーの装着の有無を検出する検出手段と、を備える赤外線体温計であって、
前記可動部に、前記プローブカバーの装着動作によって、該プローブカバーの外壁面により押圧されてプローブの外部側に分力を発生させる傾斜面を設けると共に、
該可動部をプローブの内部側に付勢する付勢手段を設けることにより、
前記プローブカバーを装着する場合には、前記付勢手段の付勢力に抗して、前記傾斜面により発生する分力によって前記可動部をプローブの外部側に移動させ、
前記プローブカバーを取り外す場合には、前記付勢手段の付勢力により、前記可動部をプローブの内部側に移動させることを特徴とする赤外線体温計。
【請求項３】
前記検出手段は、
前記可動部がプローブの外部側に移動すると当接し、内部側に移動すると離間する、あるいは、前記可動部がプローブの内部側に移動すると当接し、外部側に移動すると離間するスイッチを有することを特徴とする請求項１または２に記載の赤外線体温計。
【発明の詳細な説明】
【０００１】
【発明の属する技術分野】
本発明は、鼓膜から放射される赤外線を検出して体温を測定する赤外線体温計に関するものである。
【０００２】
【従来の技術】
従来、この種の赤外線体温計においては、衛生上の観点から、外耳道に挿入するプローブにプローブカバーを装着して利用することが多い。つまり、プローブの先端は開口している構成上、内部の清掃や殺菌が困難となるため、開口部を塞ぐようなカバーを装着して利用するというものである。
【０００３】
このようなプローブカバーは、開口部を塞ぐ膜部を有するため、鼓膜からの赤外線は、プローブカバーの膜部を透過して、プローブ内部に設けられた赤外線検出センサに検出されることになる。
【０００４】
一方、プローブカバーを装着しない状態で測定を行うと、鼓膜からの赤外線は、直接（膜部を透過しないで）、赤外線検出センサに検出されることになる。
【０００５】
従って、プローブカバーの装着の有無によって、検出される赤外線の強度が異なってしまうため、これを解消させるべく、プローブカバーの装着の有無を検出する機構を備えた赤外線体温計が知られている。
【０００６】
このようなプローブカバーの装着の有無を検出する機構を備えた、従来技術に係る赤外線体温計について、図１２及び図１３を参照して説明する。
【０００７】
図１２及び図１３は従来技術に係る赤外線体温計のプローブ付近を示す模式的断面図であり、図１２はプローブカバー装着前の状態を示し、図１３はプローブカバー装着後の状態を示している。
【０００８】
図示のように、従来技術に係る赤外線体温計１００のプローブ１０１の外周には、プローブカバー１０５を装着させるための環状の凹部１０１ａが設けられ、一方、プローブカバー１０５の内周には、この凹部１０１ａに嵌合する環状の凸部１０５ａが設けられている。従って、これらの凹凸嵌合によって、プローブカバー１０５は装着固定される構成となっている。
【０００９】
また、プローブ１０１の内部にはスイッチ１０２が配置されると共に、このスイッチ１０２に対して接離する接離部材１０３と、この接離部材１０３を、プローブカバー１０５を取り外す方向に付勢するバネ１０４が備えられている。
【００１０】
そして、接離部材１０３は、その一部がプローブ１０１の外部に突出するように設けられている。
【００１１】
以上の構成により、図１２に示すように、プローブカバー１０５を装着していない状態では、接離部材１０３はバネ１０４による付勢力によって付勢されるため、接離部材１０３の先端は、スイッチ１０２から離れた状態となる。
【００１２】
一方、図１３に示すように、プローブカバー１０５を装着すると、プローブカバー１０５に備えられたフランジによって、バネ１０４の付勢力に抗して接離部材１０３は押圧されて、その端部がスイッチ１０２に当接した状態となる。
【００１３】
このように、接離部材１０３がスイッチ１０２に接離することで、スイッチ１０２はこれを検出して、プローブカバー１０５の装着の有無を検出していた。
【００１４】
【発明が解決しようとする課題】
しかしながら、上記のような従来技術の場合には、下記のような問題が生じていた。
【００１５】
上述したようなプローブカバー１０５の装着の有無の検出機構の場合には、プローブカバー１０５が装着された状態において、プローブカバー１０５は、バネ１０４により接離部材１０３を介してプローブカバー１０５を取り外す方向（脱着方向）に付勢された状態となってしまう。
【００１６】
従って、プローブカバー１０５の嵌合力（図示例の場合、凹凸嵌合による嵌合力）が不十分な状態では、プローブカバー１０５が取り外れてしまうことがあった。
【００１７】
また、このような不具合を解消するために嵌合力を大きくすると、プローブカバーの装着力あるいは脱着力が大きくなってしまうため、取り扱いが不便になってしまうなどの問題があった。
【００１８】
更に、プローブカバーを着脱するための特別な機構、例えば、ねじによるネジ止め機構や、特殊なロック機構等を設けることもできるが、この場合には、着脱作業が面倒になったり、構成が複雑になったり、ひいてはコストが高くなってしまうという問題があった。
【００１９】
本発明は上記の従来技術の課題を解決するためになされたもので、その目的とするところは、簡易な構成で、プローブカバーの装着安定性の向上を図った赤外線体温計を提供することにある。
【００２０】
【課題を解決するための手段】
上記目的を達成するために本発明の赤外線体温計にあっては、外耳道に挿入されるプローブと、該プローブ全体を覆うように装着されるプローブカバーと、該プローブカバーの着脱動作に応じて、該プローブカバーの前記プローブに対する着脱方向への移動に伴って、該着脱方向とは略垂直方向に移動する可動部と、該可動部の移動により、前記プローブカバーの装着の有無を検出する検出手段と、を備える赤外線体温計であって、前記可動部に、前記プローブカバーの装着動作によって、該プローブカバーの内壁面により押圧されてプローブの内部側に分力を発生させる傾斜面を設けると共に、該可動部をプローブの外部側に付勢する付勢手段を設けることにより、前記プローブカバーを装着する場合には、前記付勢手段の付勢力に抗して、前記傾斜面により発生する分力によって前記可動部をプローブの内部側に移動させ、前記プローブカバーを取り外す場合には、前記付勢手段の付勢力により、前記可動部をプローブの外部側に移動させることを特徴とする。
また、他の発明の赤外線体温計にあっては、外耳道に挿入されるプローブと、該プローブ全体を覆うように装着されるプローブカバーと、該プローブカバーの着脱動作に応じて、該プローブカバーの前記プローブに対する着脱方向への移動に伴って、該着脱方向とは略垂直方向に移動する可動部と、該可動部の移動により、前記プローブカバーの装着の有無を検出する検出手段と、を備える赤外線体温計であって、前記可動部に、前記プローブカバーの装着動作によって、該プローブカバーの外壁面により押圧されてプローブの外部側に分力を発生させる傾斜面を設けると共に、該可動部をプローブの内部側に付勢する付勢手段を設けることにより、前記プローブカバーを装着する場合には、前記付勢手段の付勢力に抗して、前記傾斜面により発生する分力によって前記可動部をプローブの外部側に移動させ、前記プローブカバーを取り外す場合には、前記付勢手段の付勢力により、前記可動部をプローブの内部側に移動させることを特徴とする。
【００２１】
ここで、可動部の移動形態には、例えば、ガイドに沿ってスライドする場合や、軸に対して揺動する場合や、弾性的に撓み変形する場合などが含まれる。
【００２２】
本発明の構成によれば、可動部は、プローブカバーの着脱方向とは略垂直方向に移動する構成であるので、可動部がプローブカバーを取り外す方向に力を与えることはない。
【００２５】
前記検出手段は、
前記可動部がプローブの外部側に移動すると当接し、内部側に移動すると離間する、あるいは、前記可動部がプローブの内部側に移動すると当接し、外部側に移動すると離間するスイッチを有するとよい。
【００３０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３１】
（第１の実施の形態）
図１〜図４を参照して、本発明の第１の実施の形態に係る赤外線体温計について説明する。
【００３２】
まず、特に、図１を参照して、赤外線体温計全体の構成等について説明する。図１は本発明の第１の実施の形態に係る赤外線体温計の外観斜視図であり、（Ａ）はプローブカバーを装着していない状態を示し、（Ｂ）はプローブカバーを装着した状態を示している。
【００３３】
赤外線体温計１は、外耳道に挿入するためのプローブ２と、赤外線体温計本体３と、を備える。
【００３４】
赤外線体温計自体については公知技術であるので、その基本的な構成の詳細な説明は省略するが、赤外線体温計本体３の内部に、電気供給源となるバッテリーや回路基板等が設けられ、また、赤外線体温計本体３の背面には、測定結果を表示する表示部等が備えられる。
【００３５】
そして、測定を行う際には、赤外線体温計本体３を片手で握りながら、プローブ２を外耳道に挿入し、その状態で、赤外線体温計本体３に設けられた測定スイッチ３２を押下することにより、短時間で体温（鼓膜温）を測定することができる。
【００３６】
プローブ２は、外耳道に挿入しやすいように略円筒形状であり、その内部には赤外線検出センサが備えられている。従って、プローブ２を外耳道に挿入すると、鼓膜から放射される赤外線が筒内に進入し、赤外線検出センサに検出される。そして、この検出データに基づいて体温が測定される。
【００３７】
次に、プローブカバーの装着の有無を検出する機構等について、特に、図２〜図４を参照して説明する。図２及び図３は本発明の第１の実施の形態に係る赤外線体温計の赤外線体温計用プローブ付近の縦断面図であり、図２はプローブカバーを装着していない状態を示し、図３はプローブカバーを装着した状態を示す。図４は本発明の第１の実施の形態に係る赤外線体温計の部品の一部の展開図である。
【００３８】
図３に示すように、プローブカバー７は、その端部にフランジ部７１を有する。そして、このプローブカバー７はプローブ２全体を覆うものであり、プローブカバー７を装着した状態においては、プローブ２先端の開口部は塞がれた状態となる。
【００３９】
そして、プローブカバー７を装着する場合には、図２及び図３において、図面上の上から下に向かって装着する。一方、プローブカバー７を脱着する場合には、図２及び図３において、図面上の下から上に向かって取り外す。
【００４０】
プローブカバー７の装着の有無を検出する機構は、プローブ２の根本付近に備えられており、概略、可動部としてのスライド部材４と、このスライド部材４を付勢する付勢手段としてのスプリング５と、スライド部材４が接離するスイッチ６と、から構成される。なお、スイッチ６はプローブカバーの装着の有無を検出する検出手段の主要構成部材である。
【００４１】
スライド部材４は、プローブ２に一体的に設けられたガイド溝２１に沿ってスライドする構成となっており、上部の一部が、赤外線体温計本体３の外観を形成するハウジングに設けられた開口部３１から、外部に突出している。なお、上記ガイド溝２１は、プローブ２とは別体として構成してもよい。
【００４２】
従って、スライド部材４は、プローブカバー７の着脱方向とは略垂直方向、すなわち、プローブ２の内部側から外部側及び外部側から内部側（図２及び図３において、図面上左右方向）に移動可能に設けられている。
【００４３】
また、スライド部材４の上部（開口部３１から外部に突出した部分）には、プローブ２の先端側から根本方向に向かうにつれて、プローブ２の内部側から外部側に傾斜する傾斜面４ａを備えており、更に、外周面には突起４ｂを備えている。
【００４４】
なお、スライド部材４の素材としては、摺動性の高いものが望ましく、例えば、ＰＯＭ（ポリオキシメチレン）などが好適である。
【００４５】
スプリング５は、スライド部材４をプローブ２の内部側から外部側（図２及び図３において、図面上左から右方向）に向けて付勢するものである。このスプリング５のスプリング力（付勢力）は、プローブカバー７が装着されていない状態において、スライド部材４を外部側に確実にスライドさせるように設定される。
【００４６】
スイッチ６は、スライド部材４の突起４ｂが接離することで、オンオフされる構成であり、例えば、スライド部材４の突起４ｂが当接されると押下されるボタンを備えた、一般的なスイッチ方式を採用できる。
【００４７】
以上の構成により、図２に示すように、プローブカバー７が装着されていない状態では、スプリング５によってスライド部材４はプローブ２の外部側に向かってスライドされ、スライド部材４はスイッチ６に当接した状態にある。本実施の形態においては、この状態ではスイッチ６はオンとなっている。
【００４８】
そして、プローブカバー７を装着する場合には、その装着過程において、プローブカバー７の内壁面がスライド部材４に備えられた傾斜面４ａを押圧する。従って、この傾斜面４ａによりプローブ２の内部側に向けた分力が発生するため、スライド部材４は、スプリング５によるスプリング力に抗してプローブ２の内部側にスライドする。
【００４９】
これにより、図３に示すようにスライド部材４はスイッチ６から離間する。本実施の形態においては、この状態ではスイッチ６はオフとなっている。
【００５０】
このように、スイッチ６がオンとなっている場合には、プローブカバー７が装着されていないと検出され、一方、スイッチ６がオフとなっている場合には、プローブカバー７が装着されていると検出される。
【００５１】
そして、本実施の形態では、スプリング５による付勢方向が、プローブカバー７の着脱方向とは略垂直であり、プローブカバー７を脱着させる方向には何ら影響を及ばすことはない。
【００５２】
従って、プローブカバーの装着の有無を検出する機構を設けた構成とした場合であっても、従来技術の場合のように、プローブカバーが外れやすくなってしまうというようなことはなく、安定した装着性を維持することが可能となる。
【００５３】
また、嵌合力をそれほど大きく設定する必要もないので、装着時あるいは脱着時の作業を容易に行うことができ、取り扱いも便利である。更に、着脱のための特殊な機構（ネジ止め機構やロック機構等）も必要ないので、構成を簡略にすることができ、着脱作業も容易である。
【００５４】
このようにプローブカバーの装着作業が容易であることは、装着に要する時間が短くて済むという利点があり、これは、測定誤差を抑制することにもなる。つまり、装着作業の際に手からの熱がプローブを温めることになり、これは外乱となって測定誤差の要因となるため、装着作業は短いほど良いからである。
【００５５】
なお、プローブカバーの形状については、プローブ全体を覆うことができれば特に限定されることはなく、例えば、その断面形状が円，楕円あるいは多角形状等を利用できる。ただし、装着利便性を考慮すれば、プローブ２に装着させる場合に、その向き（回転方向の向き）に関係なく、スライド部材４に備えられた傾斜面４ａを押圧可能な形状であることが望ましい。
【００５６】
また、これまで説明した図示の例では、プローブカバーが装着されていない状態でスライド部材がスイッチに当接し、装着された状態でスライド部材がスイッチから離間する構成を示しているが、これとは逆に、プローブカバーが装着されていない状態でスライド部材がスイッチから離間し、装着された状態でスライド部材がスイッチに当接するような配置構成としても良い。つまり、スライド部材の移動により、スイッチがオンオフされればよく、要は、スライド部材が移動したことを検出できれば良い。
【００５７】
ただし、本実施の形態のように、プローブカバー７が装着された状態で、スイッチ６がオフとなるように構成すれば、仮にスイッチ６が故障してスイッチ６が常時オフ状態になったとしても、プローブカバーの装着の有無の検出はできなくなるものの、体温測定は通常通り（プローブカバー７が装着されているものとして）行うことができるという利点がある。すなわち、後述するように、プローブカバー７が装着されていない状態で体温測定を行うことを防止する構成とする場合には、本実施の形態では、スイッチ６がオンとなっている場合に体温測定ができない構成となる。これとは逆に、プローブカバーの装着時にスイッチをオンする構成とした場合には、スイッチがオフとなっている場合に体温測定をできなくする構成をとる。この場合には、スイッチが故障して常時オフになると体温測定ができなくなってしまうという不利な点がある。
【００５８】
また、可動部（スライド部材）の移動を検出する他の方式については、例えば、光学的な方式（発光素子と受光素子によって、可動部の位置に応じて光が透過する場合と遮る場合あるいは反射する場合を検出することで移動を検出する方式）や、磁気的な方式（可動部に磁性体を設けて磁気センサによって磁界の変動により移動を検出する方式）等、適宜、公知技術を適用することが可能である。
【００５９】
ここで、プローブカバーの装着の有無を検出する機構を設けた装置の利用態様について簡単に説明する。
【００６０】
上述のように、プローブカバーの装着の有無により、検出される赤外線の強度が異なるため、プローブカバーの装着の有無に関係なく一様に赤外線の検出データから体温（鼓膜温）を算出すると、プローブカバーの装着の有無によって、測定誤差が生じてしまう。
【００６１】
そこで、プローブカバーが装着されていない状態では、体温の測定ができないようにするために、上述したプローブカバーの装着の有無を検出する機構を利用することが可能である。
【００６２】
つまり、上述のように、プローブカバー７が装着された状態では、スイッチ６はオフとなり、プローブカバー７が装着されていない状態では、スイッチ６はオンとなるため、このスイッチ６がオフの場合のみ、体温の測定ができるような回路構成を設ければ、プローブカバー７が装着されていない状態での体温測定を防止できるため、プローブカバーの装着の有無に基づく測定誤差の発生を防止できる。
【００６３】
また、プローブカバーの装着の有無を検出する機構を設けた装置の他の利用態様としては、例えば、プローブカバーの装着の有無に応じて生ずるであろう誤差を補正するための回路を予め設けておき、プローブカバーの装着の有無に応じて、赤外線の検出データから体温を算出することも考えられる。
【００６４】
次に、本実施の形態に係る赤外線体温計の制御構成について、その一例を図１１を参照して説明する。図１１は本発明の実施の形態に係る赤外線体温計の制御構成を示すブロック図である。
【００６５】
図示のように、制御部は各部の制御を司るものであり、各部からの情報等を受ける、あるいは送るように構成されている。
【００６６】
すなわち、制御部は、ＰＯＷＥＲ・測定ＳＷ（測定スイッチ３２）の入力を検知すると、カバー検出器からの検出結果（プローブカバーの装着の有無情報）に基づいて、測定の可否あるいは補正を行うか否かを決定し、測定を行う場合には、ＩＲセンサ（赤外線検出センサ）によって検出されたデータから体温算出部によって算出された体温をＬＣＤ（表示部）により表示させる。
【００６７】
また、何らかの情報を警告する場合には、ブザーを鳴らしてユーザに警告する。なお、警告する情報としては、例えば、プローブカバーが装着されていない場合には、その旨を警告するためにブザーを鳴らすことができる。このとき、同時にＬＣＤにもその旨を表示させるとより好適である。その他、測定が終了した旨を知らせるためにブザーを鳴らしても良い。
【００６８】
（第２の実施の形態）
図５には、第２の実施の形態が示されている。上記第１の実施の形態では、プローブカバーの装着の有無を検出する機構を構成する可動部を、スライド可能に設けられたスライド部材により構成する場合を示したが、本実施の形態では、この可動部を揺動可能に軸支された揺動部材により構成する場合を示す。
【００６９】
その他の構成および作用については第１の実施の形態と同一なので、同一の構成部分についてはその説明は省略する。
【００７０】
図５は本発明の第２の実施の形態に係る赤外線体温計を構成する主要部（プローブカバーの装着の有無を検出する機構部分）の模式図である。なお、（ａ）はプローブカバーを装着していない状態を示し、（ｂ）はプローブカバーを装着した状態を示している。
【００７１】
本実施の形態においては、プローブカバーの装着の有無を検出する機構は、上記第１の実施の形態と同様にプローブの根本付近に備えられており、概略、揺動可能に設けられた揺動部材４１と、この揺動部材４１を付勢する付勢手段としてのスプリング５と、揺動部材４１が接離するスイッチ６と、から構成される。
【００７２】
スプリング５及びスイッチ６に関しては、配置位置が異なる以外は上記第１の実施の形態と同様であるのでその説明は省略する。
【００７３】
揺動部材４１は、略Ｌ字形状の部材であり、その交点に相当する位置で軸４１ｄによって、揺動可能に軸支されている。軸４１ｄはプローブに一体的に設けても良いし、装置本体側に設けても良い。
【００７４】
また、揺動部材４１は、上記第１の実施の形態と同様に、プローブカバーの着脱方向とは略垂直方向に移動可能な可動部４１ｂと、スイッチ６に接離するアーム４１ｃと、を備える。
【００７５】
可動部４１ｂの先端には、上記第１の実施の形態と同様に、傾斜面４１ａが設けられており、可動部４１ｂの胴体部は、スプリング５によって、プローブの内部側から外部側（図５において、図面上左から右方向）に向けて付勢されている。
【００７６】
以上の構成により、プローブカバーが装着されていない状態においては、図５（ａ）に示すように、可動部４１ｂがスプリング５により付勢されてプローブの外部側に向けて移動するため、揺動部材４１全体として見れば、図５中、時計回り方向に回転する。
【００７７】
これにより、アーム４１ｃは図中下向きに移動し、スイッチ６に当接（ボタンを押下）し、スイッチ６はオンとなっている。
【００７８】
そして、プローブカバーを装着する場合には、その装着過程において、プローブカバーの内壁面が可動部４１ｂに備えられた傾斜面４１ａを押圧する。従って、この傾斜面４１ａによりプローブ２の内部側に向けた分力が発生するため、可動部４１ｂは、スプリング５によるスプリング力に抗してプローブ２の内部側に移動する。
【００７９】
つまり、揺動部材４１全体として見れば、図５中、反時計回り方向に回転する。これにより、図５（ｂ）に示すように揺動部材４１はスイッチ６から離間する。本実施の形態においては、この状態ではスイッチ６はオフとなっている。
【００８０】
このように、スイッチ６がオンとなっている場合には、プローブカバーが装着されていないと検出され、一方、スイッチ６がオフとなっている場合には、プローブカバーが装着されていると検出される。
【００８１】
そして、本実施の形態においても、スプリング５による付勢方向が、プローブカバーの着脱方向とは略垂直であり、プローブカバー７を脱着させる方向には何ら影響を及ばすことはなく、上記第１の実施の形態の場合と同様の効果を得ることが可能となる。
【００８２】
また、図５（Ｃ），（Ｄ）には、図５（Ａ），（Ｂ）に示したものの変形例を示している。（Ｃ）はプローブカバーを装着していない状態を示し、（Ｄ）は装着した状態を示している。
【００８３】
すなわち、上記図５（Ａ），（Ｂ）の場合には、可動部４１ｂに対してスプリング５により付勢させるのに対して、図５（Ｃ），（Ｄ）に示す揺動部材４１’の場合には、アーム４１ｃに対してスプリング５により付勢される構成としている。
【００８４】
このように構成した場合であっても、スプリング５自体の付勢方向はプローブカバー７の着脱方向と同方向であるが、揺動部材４１’がＬ字形状であることから、プローブカバー７に対しては、脱着方向とは略垂直方向に力が作用するため、上記図５（Ａ），（Ｂ）の場合と同様の効果を得ることができる。
【００８５】
（第３の実施の形態）
図６及び図７には、第３の実施の形態が示されている。上記第１の実施の形態では、付勢手段により可動部（スライド部材）をプローブの外側に向けて付勢し、プローブカバーの装着により可動部をプローブの内側に向けて移動させる構成を示したが、本実施の形態では、これとは逆に、付勢手段により可動部（スライド部材）をプローブの内側に向けて付勢し、プローブカバーの装着により可動部をプローブの外側に向けて移動させる構成を示す。
【００８６】
その他の基本的な構成および作用については第１の実施の形態と同一なので、同一の構成部分についてはその説明は適宜省略する。
【００８７】
図６及び図７は本発明の第３の実施の形態に係る赤外線体温計の赤外線体温計用プローブ付近の縦断面図であり、図６はプローブカバーを装着していない状態を示し、図７はプローブカバーを装着した状態を示す。
【００８８】
本実施の形態に係る赤外線体温計１ａにおけるプローブカバー７の装着の有無を検出する機構は、プローブ２の根本付近に備えられており、概略、可動部としてのスライド部材４２と、このスライド部材４２を付勢する付勢手段としてのスプリング５と、スライド部材４２が接離するスイッチ６と、から構成される。なお、スイッチ６はプローブカバーの装着の有無を検出する検出手段の主要構成部材である。
【００８９】
本実施の形態におけるスライド部材４２も、上記第１の実施の形態の場合と同様に、プローブカバー７の着脱方向とは略垂直方向、すなわち、プローブ２の内部側から外部側及び外部側から内部側（図６及び図７において、図面上左右方向）に移動可能に設けられている。
【００９０】
また、スライド部材４２の上部には、プローブ２の先端側から根本方向に向かうにつれて、プローブ２の外部側から内部側に傾斜する傾斜面４２ａを備えている。
【００９１】
スプリング５は、スライド部材４２をプローブ２の外部側から内部側（図６及び図７において、図面上右から左方向）に向けて付勢するものである。また、スイッチ６は、スライド部材４２が接離することで、オンオフされる構成である。
【００９２】
以上の構成により、図６に示すように、プローブカバー７が装着されていない状態では、スプリング５によってスライド部材４２はプローブ２の内部側に向かってスライドされ、スライド部材４２はスイッチ６から離間した状態にある。
【００９３】
そして、プローブカバー７を装着する場合には、その装着過程において、プローブカバー７の内壁面がスライド部材４２に備えられた傾斜面４２ａを押圧する。従って、この傾斜面４２ａによりプローブ２の外部側に向けた分力が発生するため、スライド部材４２は、スプリング５によるスプリング力に抗してプローブ２の外部側にスライドし、スイッチ６に当接する。
【００９４】
このように、上記第１の実施の形態と同様に、プローブカバー７の装着の有無に応じて、スライド部材４２がスイッチ６に対して接離することにより、スイッチ６がオンオフして、プローブカバー７の装着の有無を検出することが可能となる。
【００９５】
この実施の形態においても、スプリング５による付勢方向が、プローブカバー７の着脱方向とは略垂直であり、プローブカバー７を脱着させる方向には何ら影響を及ばすことはないため、上記実施の形態と同様の効果を得ることができる。
【００９６】
なお、本実施の形態では、プローブカバーが装着されていない状態でスライド部材がスイッチから離間し、プローブカバーが装着された状態でスライド部材がスイッチに当接する構成を示したが、これとは逆に、上記第１，２の実施の形態と同様に、プローブカバーが装着されていない状態でスライド部材がスイッチに当接し、プローブカバーが装着された状態でスライド部材がスイッチから離間する構成としても良いことは言うまでもない。
【００９７】
（第４の実施の形態）
図８〜図１０には、第４の実施の形態が示されている。上記実施の形態では、可動部はプローブカバーを積極的に保持する機能を設けてはいない構成であったが、本実施の形態では、上記実施の形態における可動部に相当する部材を、プローブカバーを保持する保持部材で構成した場合を示している。
【００９８】
その他の基本的な構成および作用については第１の実施の形態と同一なので、同一の構成部分についてはその説明は適宜省略する。
【００９９】
図８は本発明の第４の実施の形態に係る赤外線体温計の主要部付近（プローブ付近）の斜視図である。図９は本発明の第４の実施の形態に係る赤外線体温計の主要部付近（プローブ付近）の平面図である。図１０は本発明の第４の実施の形態に係る赤外線体温計の主要部付近（プローブ付近）の縦断面図である。
【０１００】
なお、各図においては、説明簡単のため、プローブカバー７は、その端部に設けられたフランジ部のみを図示する。
【０１０１】
本実施の形態に係る赤外線体温計１ｂにおいては、赤外線体温計本体３の外観を形成するハウジングに固定された係合片４４と、係合突起４３ａを有する保持部材４３と、を備えており、これら係合片４４と保持部材４３によってプローブカバー７のフランジ部に係合して、プローブカバー７を保持する構成となっている。
【０１０２】
プローブカバー７の装着の有無を検出する機構は、プローブ２の根本付近に備えられており、概略、プローブカバー７の着脱方向とは略垂直方向に可動に構成された上記保持部材４３と、この保持部材４３をプローブ２の内部側に付勢する付勢手段としてのスプリング５と、保持部材４３が接離するスイッチ６と、から構成される。
【０１０３】
以上の構成により、特に図示はしないが、プローブカバー７が装着されていない状態では、スプリング５によって保持部材４３はプローブ２の内部側に向かってスライドされ、保持部材４３はスイッチ６に当接した状態にある。
【０１０４】
一方、図１０に示すように、プローブカバー７が装着された状態では、スプリング５による付勢力に抗して保持部材４３はプローブ２の外部側に向かってスライドされ、保持部材４３はスイッチ６から離間した状態となる。
【０１０５】
このように、上記第１の実施の形態と同様に、プローブカバー７の装着の有無に応じて、保持部材４３がスイッチ６に対して接離することにより、スイッチ６がオンオフして、プローブカバー７の装着の有無を検出することが可能となる。
【０１０６】
この実施の形態においても、スプリング５による付勢方向が、プローブカバー７の着脱方向とは略垂直であり、プローブカバー７を脱着させる方向には何ら影響を及ばすことはないため、上記実施の形態と同様の効果を得ることができる。
【０１０７】
なお、本実施の形態において、プローブカバー７の装着する場合には、手指等によって、保持部材４３をスプリング５の付勢力に抗して外部側にスライドさせた状態を維持しながらプローブカバー７を装着することができる。
【０１０８】
あるいは、プローブカバー７を傾けながら、そのフランジ部を保持部材４３の係合突起４３ａに引っ掛けながら保持部材４３をスライドさせて、その状態でプローブカバー７を立てて、係合片４４に係合させることにより、プローブカバー７を装着することもできる。
【０１０９】
また、プローブカバー７を脱着する場合には、プローブカバー７を持ちながら保持部材４３をスプリング５の付勢力に抗して外部側にスライドさせて、プローブカバー７を傾けることにより係合片４４の係合を解除した後に、保持部材４３の係合突起４３ａから係合を解除させればよい。
【０１１０】
【発明の効果】
以上説明したように、本発明は、簡易な構成で、プローブカバーの装着安定性の向上を図ることが可能となる。
【図面の簡単な説明】
【図１】本発明の第１の実施の形態に係る赤外線体温計の外観斜視図である。
【図２】本発明の第１の実施の形態に係る赤外線体温計の赤外線体温計用プローブ付近の縦断面図である。
【図３】本発明の第１の実施の形態に係る赤外線体温計の赤外線体温計用プローブ付近の縦断面図である。
【図４】本発明の第１の実施の形態に係る赤外線体温計の部品の一部の展開図である。
【図５】本発明の第２の実施の形態に係る赤外線体温計を構成する主要部の模式図である。
【図６】本発明の第３の実施の形態に係る赤外線体温計の赤外線体温計用プローブ付近の縦断面図である。
【図７】本発明の第３の実施の形態に係る赤外線体温計の赤外線体温計用プローブ付近の縦断面図である。
【図８】本発明の第４の実施の形態に係る赤外線体温計の主要部付近の斜視図である。
【図９】本発明の第４の実施の形態に係る赤外線体温計の主要部付近の平面図である。
【図１０】本発明の第４の実施の形態に係る赤外線体温計の主要部付近の縦断面図である。
【図１１】本発明の実施の形態に係る赤外線体温計の制御構成を示すブロック図である。
【図１２】従来技術に係る赤外線体温計のプローブ付近を示す模式的断面図である。
【図１３】従来技術に係る赤外線体温計のプローブ付近を示す模式的断面図である。
【符号の説明】
１，１ａ，１ｂ  赤外線体温計
２  プローブ
２１  ガイド溝
３  赤外線体温計本体
３１  開口部
３２  測定スイッチ
４  スライド部材
４ａ  傾斜面
４ｂ  突起
５  スプリング
６  スイッチ
７  プローブカバー
４１  揺動部材
４１ａ  傾斜面
４１ｂ  可動部
４１ｃ  アーム
４１ｄ  軸
４２  スライド部材
４２ａ  傾斜面
４３  保持部材
４３ａ  係合突起
４４  係合片
【図１】
0003945189.tif 000002
【図２】
0003945189.tif 000003
【図３】
0003945189.tif 000004
【図４】
0003945189.tif 000005
【図５】
0003945189.tif 000006
【図６】
0003945189.tif 000007
【図７】
0003945189.tif 000008
【図８】
0003945189.tif 000009
【図９】
0003945189.tif 000010
【図１０】
0003945189.tif 000011
【図１１】
0003945189.tif 000012
【図１２】
0003945189.tif 000013
【図１３】
0003945189.tif 000014